(57)【要約】【目的】前面枠に対して着脱される遊技盤にガラス枠を取り付けることにより、ガラス枠及び遊技盤の取り付け及び取り外しの作業を容易に行うことができる遊技機を提供する。【構成】透明板保持枠４は、遊技盤４０に対して開閉機構を介して取り付けられ、遊技盤４０は、前面枠３の前面側から前面枠３に対して取り付けられ、透明板保持枠４が前面枠３に対して開閉自在に取り付けられることにより、透明板保持枠４が遊技盤４０に取り付けられることで、前面枠３には遊技盤４０を取り付けるための取付部だけを備えるだけでよく、透明板保持枠４及び遊技盤４０の双方を取り付ける場合のように取付スペースが制限されることがない。このため、前面枠３に対して透明板保持枠４及び遊技盤４０の取り付け及び取り外しの作業を容易に行うことができ、透明板保持枠４と遊技盤４０との双方を交換する必要がある場合等の作業効率を向上することができる。【選択図】        図４
2004222914.tif 000002
【特許請求の範囲】
【請求項１】
外枠と、外枠の一側に開閉自在に支持され且つ遊技盤が装着される前面枠と、該前面枠に設けられる遊技盤の遊技領域を透視し得る透明板が装着される透明板保持枠と、を備えた遊技機において、
前記透明板保持枠は、前記遊技盤に対して開閉機構を介して取り付けられ、
前記遊技盤は、前記前面枠の前面側から該前面枠に対して取り付けられ、
前記透明板保持枠が前記前面枠に対して開閉自在に取り付けられることを特徴とする遊技機。
【請求項２】
前記透明板保持枠の表面と前記遊技盤の表面とに、意匠的に連続した装飾を施したことを特徴とする請求項１記載の遊技機。
【請求項３】
前記透明板保持枠の開放側には、施錠片が備えられ、前記前面枠には、前記透明板保持枠を閉塞した際に前記施錠片が係合する施錠装置を備えたことを特徴とする請求項１又は請求項２記載の遊技機。
【請求項４】
前記透明板保持枠には、複数の装飾ランプと、該複数の装飾ランプからの配線が集約される装飾ランプコネクタと、が備えられ、
前記複数の装飾ランプを制御するランプ制御基板が前記遊技盤の裏面に備えられ、
前記遊技盤には、該遊技盤の前面側に臨む前記ランプ制御基板と接続された遊技盤コネクタが備えられ、
前記装飾ランプコネクタと前記遊技盤コネクタとを接続したことを特徴とする請求項１乃至請求項３のいずれかに記載の遊技機。
【発明の詳細な説明】
【０００１】
【発明の属する技術分野】
本発明は、外枠と、外枠の一側に開閉自在に支持され且つ遊技盤が装着される前面枠と、該前面枠に設けられる遊技盤の遊技領域を透視し得る透明板が装着される透明板保持枠と、を備えた遊技機に関するものである。
【０００２】
【従来の技術】
従来、遊技機においては、遊技機の構成部が集約して設けられる前面枠に遊技盤が取り付けられると共に、この前面枠に対してガラス板が装着されたガラス枠が開閉自在に取り付けられていた。このため、前面枠には、遊技盤及びガラス板を取り付けるための取付ボス，取付ネジ穴等が遊技盤及びガラス枠のそれぞれについて設けられていた。一方、遊技の意匠としてガラス枠に遊技盤の遊技領域と一体的な装飾模様を描き、遊技機に統一的なイメージ模様を表出したもの（例えば、特許文献１）があった。
【０００３】
【特許文献１】
特開２００１−１３７４３４号公報（第３頁、図１）
【０００４】
【発明が解決しようとする課題】
上記したようなガラス枠と遊技盤とに一体的な装飾模様が描かれている遊技機の場合、遊技内容を変更するために遊技盤を交換したり、あるいは、遊技機全体の意匠を変更するような場合には、ガラス枠と遊技盤とをいずれも交換する必要がある。ところが、上記した特許文献１に記載されたものの場合、前面枠にガラス枠及び遊技盤のそれぞれを取り付けるため、ガラス枠は前から、遊技盤は後からというように、異なる方向から前面枠に取り付けるものであった。もしくは、ガラス枠、遊技盤を同じ方向から取り付けた場合、ガラス枠との固定部、遊技盤との固定部とが、前面枠における遊技盤の収容開口の周囲の少ないスペースに設けられるため、取り付け、取り外しの作業が困難となっていた。本発明は、上記した事情に鑑みなされたもので、その目的とするところは、前面枠に対して着脱される遊技盤にガラス枠を取り付けることにより、ガラス枠及び遊技盤の取り付け及び取り外しの作業を容易に行うことができる遊技機を提供することにある。
【０００５】
【課題を解決するための手段】
上記目的を達成するために、請求項１の発明においては、外枠と、外枠の一側に開閉自在に支持され且つ遊技盤が装着される前面枠と、該前面枠に設けられる遊技盤の遊技領域を透視し得る透明板が装着される透明板保持枠と、を備えた遊技機において、前記透明板保持枠は、前記遊技盤に対して開閉機構を介して取り付けられ、前記遊技盤は、前記前面枠の前面側から該前面枠に対して取り付けられ、前記透明板保持枠が前記前面枠に対して開閉自在に取り付けられることを特徴とする。このように構成することにより、透明板保持枠が遊技盤に取り付けられることで、前面枠には遊技盤を取り付けるための取付ボス，取付ネジ等の取付部だけを備えるだけでよく、透明板保持枠及び遊技盤の双方を取り付ける場合のように取付スペースが制限されることがない。このため、前面枠に対して透明板保持枠及び遊技盤の取り付け及び取り外しの作業を容易に行うことができ、例えば、透明板保持枠と遊技盤とに一体的な装飾模様を施したときのように、透明板保持枠と遊技盤との双方を交換する必要がある場合等の作業効率を向上することができる。
【０００６】
また、請求項２の発明においては、前記透明板保持枠の表面と前記遊技盤の表面とに、意匠的に連続した装飾を施したことを特徴とする。このように構成することにより、遊技機全体として統一感のある意匠とすることができる。
【０００７】
また、請求項３の発明においては、前記透明板保持枠の開放側には、施錠片が備えられ、前記前面枠には、前記透明板保持枠を閉塞した際に前記施錠片が係合する施錠装置を備えたことを特徴とする。このように構成することにより、透明板保持枠を閉塞した際に、透明板保持枠を前面枠に対して施錠可能とすることができるため、透明板保持枠と遊技盤、及び遊技盤と前面枠との間にそれぞれ施錠装置を設けることなく、透明板保持枠，遊技盤及び前面枠を一体的に施錠することができるため、透明板保持枠及び遊技盤の交換作業を容易に行うことができる。
【０００８】
更に、請求項４の発明においては、前記透明板保持枠には、複数の装飾ランプと、該複数の装飾ランプからの配線が集約される装飾ランプコネクタと、が備えられ、前記複数の装飾ランプを制御するランプ制御基板が前記遊技盤の裏面に備えられ、前記遊技盤には、該遊技盤の前面側に臨む前記ランプ制御基板と接続された遊技盤コネクタが備えられ、前記装飾ランプコネクタと前記遊技盤コネクタとを接続したことを特徴とする。このように構成することにより、透明板保持枠と遊技盤とをユニットとして前面枠に取り付ける際に、装飾ランプコネクタと遊技盤コネクタとを接続することで、電気配線上でも透明板保持枠と遊技盤とを一体とすることができる。
【０００９】
【発明の実施の形態】
以下、図面を参照して、本発明の実施形態について説明する。まず、図１乃至図３を参照して実施形態に係る遊技機としての弾球遊技機１の全体の構成について説明する。弾球遊技機１は、図１及び図２に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に位置し、開閉自在に設けられる透明板保持枠４とから構成されている。また、前面枠３に設けられる主要構成部としては、上記した透明板保持枠４、遊技盤４０、上皿１９、下皿２７、灰皿２９、操作ハンドル３０、機構板１００、球発射装置８７がある。また、図示の実施形態では、弾球遊技機１の側方に遊技者に遊技球を貸し出すためのカードユニット装置３１が付設されている。
【００１０】
透明板保持枠４には、後述する遊技盤４０の遊技領域４１をほぼ透視し得る円形透視窓５が開設され、該円形透視窓５の裏面から複層ガラス板が装着されている。また、透明板保持枠４の上側には、円形透視窓５の外周に沿って、遊技効果ランプとしての装飾ランプ６〜８，１５，１６が臨んでいる。この装飾ランプ６〜８，１５，１６は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（後述する球切れスイッチ１１５が作動したとき）を報知する球切れランプ９や、入賞球の発生に基づいて所定個数の賞球が払い出されたことを報知する賞球ランプ１０（なお、賞球未払出分がある場合に報知する方式でもよい）が設けられ、更に、透明板保持枠４の上部左右に遊技の進行に応じた効果音を発生するスピーカ１２ａ，１２ｂが設けられている。なお、各ランプ６〜８，９，１０，１５，１６の前方は、それぞれ透光性を有する赤色、緑色等のランプカバーで被覆されるようになっている。特に、球切れランプ９の点灯を赤色発光で行い、賞球ランプ１０の点灯を緑色発光で行うことにより、遊技者に対して状況を報知するようになっている。
【００１１】
また、スピーカ１２ａ，１２ｂの前面には、パンチメタル１１が取り付けられてスピーカ１２ａ，１２ｂから発生される音声を通すようになっている。また、スピーカ１２ａ，１２ｂの近傍（パンチメタル１１の裏面側）には、それぞれ光装飾用の遊技効果ＬＥＤとしての装飾ＬＥＤ３７，３８が透明板保持枠４に取り付けられている。また、円形透視窓５の側方であって透明板保持枠４の開放側には、透明板保持枠４の後述する施錠片１３が係止されることにより、透明板保持枠４を前面枠３に対して施錠する施錠装置１８（図５参照）を操作するためのシリンダー錠２６が臨んでいる。更に、円形透視窓５の周囲は、キャラクター１７が描かれることにより装飾されているが、このキャラクター１７は、図２に示すように、その一部が描かれているものである。そして、遊技盤４０の表面には、同じくキャラクター１７の全体が描かれているため、前面枠３に遊技盤４０を取り付けた状態で透明板保持枠４を閉じた場合には、透明板保持枠４に描かれたキャラクター１７の欠けた部分が、遊技盤４０に描かれたキャラクター１７によって補う形となって、図１に示すように、キャラクター１７の全体が形成される。
なお、円形透視窓５の周囲に描かれるキャラクター１７は、上記のように円形透視窓５の周囲付近だけに描かれるものばかりでなく、円形透視窓５の周囲の表面全体に亘って複数描かれるものや、１つの大きなキャラクターが円形透視窓５の部分をくり抜いた状態で描かれるものであってもよい。また、遊技盤４０の表面に描かれるキャラクター１７は、上記のようにその全体が描かれるものばかりでなく、その一部が遊技盤に描かれて、円形透視窓５の周囲に描かれたキャラクター１７の一部とによってキャラクター１７の全体が形成されるものであってもよい。
【００１２】
このように、透明板保持枠４に描かれたキャラクターと遊技盤４０に描かれたキャラクターとで１つのキャラクターを形成するような、意匠的に連続した装飾が施されているが、意匠的に連続した装飾としては、この他に、例えば、透明板保持枠４に球を投げるピッチャーのキャラクターが、遊技盤４０にピッチャーが投げた球を受けるキャッチャーのキャラクターが描かれている、というように、関連する一対のキャラクターによる装飾や、あるいは、透明板保持枠４に桃太朗のキャラクターが、遊技盤４０に犬や雉のキャラクターが描かれている、というように、観念的に類似するキャラクターによる装飾等が考えられる。
【００１３】
また、上記したような、キャラクターによって意匠的に連続した装飾としたものばかりでなく、色彩的に連続しているもの、例えば、透明板保持枠４から遊技盤４０に亘って色彩が徐々に変化するグラデーションが施されているもの、同じ色彩のストライプ模様が透明板保持枠４から遊技盤４０に亘って施されているもの、透明板保持枠４及び遊技盤４０に同色の発光部材を備えることにより透明板保持枠４及び遊技盤４０の全体を同色で発光させるもの等であってもよい。あるいは、透明板保持枠４及び遊技盤４０が連続的な形状、例えば、連続した滑らかな曲面や凹凸面によって形成されているもの等であってもよい。
【００１４】
次に、透明板保持枠４の下側に取り付けられる上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、スプリング（図示しない）の付勢力に抗して一方向に移動させることにより、上皿１９に貯留されていた遊技球を裏面側に形成される球抜き路（図示しない）を流下させて下皿２７に誘導するものである。
【００１５】
上記した上皿１９について、さらに詳細に説明すると、上皿１９は、その上流側に形成される賞球払出口２０から払い出された賞球を一旦貯留した後、発射位置に遊技球を供給するものである。また、上皿１９には、弾球遊技機１に隣接して設けられるカードユニット装置３１を介して遊技球を借り受ける際に操作する操作部が設けられている。この操作部は、球貸スイッチ２４と返却スイッチ２５（共に図４に符号のみを記載）と表示ＬＥＤ（図示しない）が実装される残高表示基板２３（図４に符号のみを記載）からなり、該残高表示基板２３が上皿１９の上面に臨むように設けられている。
【００１６】
また、前面枠３の下部に取り付けられる下皿２７は、前記上皿１９から溢れた賞球であって余剰球通路（図示しない）を介して接続樋９３（図３参照）から排出される余剰の賞球を貯留するものであり、その下皿２７の前面壁には、球抜き操作レバー２８がスライド可能に取り付けられるようになっている。この球抜き操作レバー２８を操作することにより、下皿２７に貯留されていた賞球を下方に球抜きして持ち運び可能な球箱に移し替えることができる。また、下皿２７の左側には、灰皿２９が設けられ、右側には、操作ハンドル３０が設けられている。
操作ハンドル３０は、図３に示す球発射装置８７の発射装置電動機８８（ステッピングモータ）の駆動を一時的に停止させるための単発発射スイッチ９１及び遊技者が操作ハンドル３０を触れていることを検知するタッチセンサ（図示しない）を内蔵していると共に、弾発力を調節する指掛け部３２（図１参照）を備えるものである。
【００１７】
一方、弾球遊技機１の背面には、図３に示すように、入賞球の発生に基づいて所定個数の賞球を払い出すための各種の機構を装備した機構板１００が設けられると共に、前記操作ハンドル３０に対応する裏面には、発射装置電動機８８及び打球槌（図示しない）を有する球発射装置８７が固着され、その球発射装置８７の側方には、機構板１００の余剰球通路から流下してきた遊技球を前記下皿２７に誘導する接続樋９３が固着されている。上記した構成のうち、球発射装置８７には、発射制御基板９０が付設されており、この発射制御基板９０によって球発射装置８７が駆動制御されるようになっている。
【００１８】
以上で、弾球遊技機１の全体の概略構成を説明したが、以下、弾球遊技機１を構成する要素のうち、遊技盤４０と、機構板１００の詳細な構成について順次説明する。
【００１９】
まず、主に図１を参照して遊技盤４０について説明する。遊技盤４０は、前面枠３の裏面側に一体的に形成される遊技盤収納枠部１８６（図６，７参照）に収容固定されるべく、ほぼＴ字型の合板（図６，７参照）により形成され、その表面には、円形うず巻き状に誘導レール４２が取り付けられ、該誘導レール４２の内側が遊技領域４１とされて発射された打球が落下するものである。遊技領域４１には、図示の場合、可変表示装置４４、特別可変入賞球装置４８、入賞口としての普通可変入賞球装置５８、通過球検出器６１ｂを内蔵する通過口６１ａ等が設けられると共に、単に打球を入賞とする入賞口、打球の流下方向，速度を変化せしめる風車又は多数の障害釘が設けられ、また、遊技領域４１の最下方には、いずれの入賞装置にも入賞しない打球が取り込まれるアウト口６９が設けられている。
【００２０】
遊技領域４１の構成をその遊技動作に従ってより詳細に説明すると、可変表示装置４４の下方に普通可変入賞球装置５８が設けられ、この普通可変入賞球装置５８の両側方には、それぞれ通過球検出器６１ｂを内蔵する通過口６１ａが設けられている。この通過球検出器６１ｂは、遊技領域４１を落下する打球の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、後述する非特別遊技状態のときに相対的に長く（例えば、３０秒）、後述する特別遊技状態のときに相対的に短く（例えば、３〜５秒）設定されている。また、後述する装飾部材１６１の上部には、普通図柄表示器６３の可変表示中に通過球検出器６１ｂを通過した打球数を記憶表示する普通図柄記憶表示ＬＥＤ６４（最高４個まで記憶表示する）が設けられている。
【００２１】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２２】
可変表示装置４４は、図１に示すように、識別情報を可変表示する画像表示部１６０を有した液晶タイプの表示器であり、この画像表示部１６０は、左・中・右の３つの可変表示部に識別情報を表示するものである。
【００２３】
上記した画像表示部１６０の前方外周には、横長形状の窓開口が開設された装飾部材１６１が設けられる。この装飾部材１６１の外周には、装飾部材１６１を遊技盤４０に取り付けるための取付穴１６４が穿設されている。そして、可変表示装置４４の変動停止時における図柄（なお、本文中において、図柄と識別情報とは同義である）の組合せが予め定めた大当り図柄の組合せ（例えば、同一の図柄が当りラインのいずれかに揃った場合）である特定表示結果となった場合に、主基板１５１のＣＰＵによって特定遊技状態となり、特別可変入賞球装置４８を次に説明する所定の態様で開閉駆動するものである。ただし、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、可変表示装置４４の近傍には、前述したような普通図柄記憶ＬＥＤ６４に加えて、画像表示部１６０の外周部分を光装飾する飾りＬＥＤ４５（図４に符号のみを記載）と、可変表示装置４４の可変動作中に前記始動球検出器６０によって検出された球数を記憶表示する特別図柄始動記憶表示ＬＥＤ４６（最高４個まで記憶表示する）と、が設けられている。なお、可変表示装置４４は、液晶タイプのものに限らず、ＣＲＴ等により構成されるものであっても良い。
【００２４】
特定遊技状態となったときに駆動制御される特別可変入賞球装置４８は、ソレノイド５０（図４に符号のみを記載）によって開閉駆動される開閉板４９を有し、その開閉板４９に受け入れられた打球を検出する入賞個数検出器５２（図４に符号のみを記載）が設けられている。また、特別可変入賞球装置４８内（開閉板４９の内側）には、打球の検出（Ｖ入賞検出）に伴って特定遊技状態の継続権を成立させる特定球検出器５１（図４に符号のみを記載）が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッター５３は、ソレノイド４３（図４に符号のみを記載）によって開閉駆動が行われる。なお、Ｖシャッターの他の例として、例えば、左右に並んだＶ入賞口と通常の入賞口の前面側に掛け渡されるシーソー状の可動部材により構成されるものがある。この可動部材の中心には、支点が設けられると共に、その一端には、ソレノイドが接続され、このソレノイドが駆動することにより、可動部材の両端が支点を中心に上下動するものである。このようなＶシャッターの動作は、ソレノイドがＯＦＦした状態では、可動部材のＶ入賞口側が下降してＶ入賞に遊技球が入賞し得る状態となる。この状態でＶ入賞口に遊技球が入賞すると、ソレノイドがＯＮして可動部材のＶ入賞口側が上昇し、可動部材がＶ入賞口の前面側に位置して遮り、遊技球が入賞し難くなる。一方、可動部材の通常の入賞口側が下降して通常の入賞口へ遊技球の入賞がし易くなるというものである。
【００２５】
しかして、特定遊技状態となった場合には、一定時間（例えば、２８秒）が経過するまで又はその一定時間内に所定個数（例えば、１０個）の入賞球が入賞するまで開閉板４９を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に所定回数（例えば、最高１６回）の開放サイクルを繰り返すことができるようになっている。
【００２６】
以上説明した本実施形態において、打球が入賞する入賞口及び入賞装置には、入賞球を検出するための信号が導出される入賞球検出器５１，５２が設けられている。これは、これらの検出信号に基づいて所定個数の賞球を払い出すために使用されるものである。しかして、これらの入賞球検出器５１，５２は、図４に示すように、遊技を統括的に制御する主基板１５１に接続されている。
【００２７】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図４に示すように、遊技盤４０に設けられる各スイッチ５１，５２，６１ｂ及び各ソレノイド４３，５０，５９は、主基板１５１に接続され、遊技盤４０に設けられる飾りランプ５６，６７ａ（共に図４に遊技効果ランプとして符号のみを記載）、遊技盤４０に設けられる飾りＬＥＤ４５（図４に遊技効果ＬＥＤとして記載）、特別図柄始動記憶ＬＥＤ４６、普通図柄始動記憶ＬＥＤ６４は、電飾制御基板８０に接続されている。
【００２８】
一方、遊技盤４０の裏面には、図３に示すように、前記可変表示装置４４の裏面が突出して設けられている。この可変表示装置４４の裏面部分には、識別情報の可変表示を含む演出制御を実行する表示制御基板７５が表示制御基板カバー７４に被覆されて取り付けられている。表示制御基板７５は、可変表示装置４４の可変表示動作を主基板１５１からの情報信号の種類に応じて駆動制御するものである。
【００２９】
また、上記した可変表示装置４４裏面の周囲には、カバー体７０が取り付けられ、このカバー体７０に連通するようにその下部に入賞球誘導カバー体７１が取り付けられている。カバー体７０には、その中央に前記可変表示装置４４が挿入される窓孔７２が形成されると共に、情報端子基板７８が取り付けられている。
なお、カバー体７０は、窓孔７２の外周部分に穿設された取付穴（図示しない）が遊技盤４０の裏面にビス止めされることで取り付けられる。情報端子基板７８は、弾球遊技機１の営業管理上必要な遊技情報（例えば、特定遊技状態中である旨を報知する大当り１情報、特別表示結果で特定遊技状態となり、その特定遊技状態中及びその大当りによる確率変動中である旨を報知する大当り２情報（特定遊技状態中と確率変動中に出力され続ける信号）、特別表示結果による特定遊技状態終了後の確率変動中である旨を報知する確率変動情報、始動球検出器をＯＮした打球の数を報知する始動口情報、可変表示装置４４の可変動作回数を報知する図柄確定回数１情報、普通可変表示装置の可変動作回数を報知する図柄確定回数２情報、及び普通可変入賞球装置５８の開閉回数を報知する役物回数情報）を遊技場に設置される管理コンピュータに出力するための外部接続端子を有し、これらの情報が主基板１５１から与えられるようになっている。
【００３０】
また、入賞球誘導カバー体７１の後面側には、電飾制御基板８０及び効果音制御基板８２を収容する制御基板ボックス７９が取り付けられている。電飾制御基板８０は、図３に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や透明板保持枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音量スイッチ８３（図４に符号のみを記載）が設けられている。
【００３１】
次に、弾球遊技機１の背面に設けられる機構板１００の構成について図３を参照して説明する。図３において、機構板１００は、遊技球を貯留する貯留タンク１０５と該貯留タンク１０５に貯留された賞球を下流側に整列しながら誘導する球整列レール部材１０８及びカーブレール部材１１１と、カーブレール部材１１１からの遊技球を誘導する球通路１１４と、入賞に基づく賞球を払い出す球払出装置１１６と、主として遊技盤４０に打ち込まれた入賞球を含む打球を処理する処理機構と、が機構板主体１０１上に設けられる。球整列レール部材１０８の下流側上部には、外部との信号線が接続される外部接続端子を有する情報端子基板１３２が設けられる。情報端子基板１３２に設けられる外部接続端子１３３からは、外部（例えば、管理コンピュータ）へ貯留タンク１０５にて遊技球が不足している旨の球切れ情報と貸球情報と賞球情報とが出力される。
【００３２】
また、カーブレール部材１１１の下流側には、垂直状に球通路部材が設けられる。具体的には、左右２列の球通路１１４から球通路部材が構成され、該２列の球通路１１４には、それぞれ球切れスイッチ１１５が通路に臨むように設けられている。この球切れスイッチ１１５は、図４に示すように、主基板１５１に接続され、球切れスイッチ１１５が遊技球を検出しなくなったときには、球払出装置１１６の作動を停止して遊技球の払出を不能動化させるようになっている。球払出装置１１６は、ほぼ直方体形状をなすケースの内部に収納されて機構板主体１０１の前面側に着脱自在に取り付けられるようになっている。
【００３３】
また、機構板１００の下部後面側には、電圧の異なる複数の電源を生成する電源ユニット基板１３７を収容する電源ユニットボックス１３６と、遊技盤４０に設けられる可変表示装置４４や特別可変入賞球装置４８等の遊技装置の動作を制御する主基板１５１を収容する主基板ボックス１５０と、前記球払出装置１１６の動作を制御する払出制御基板１４４を収容する払出制御基板ボックス１４３が設けられる。電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３４】
以上、弾球遊技機１の構成、遊技盤４０の構成、及び機構板１００の構成について説明してきたが、次に、配線接続される回路構成について、図４を参照して説明する。主基板１５１には、遊技盤４０に設けられる各球検出器（スイッチ）５１，５２，６１ｂ及び始動球検出器６０、また、満タンスイッチ１２９及び球切れスイッチ１１５、更に、払い出された賞球を検出する賞球カウントスイッチ１２０からの信号が入力されるものである。
【００３５】
また、主基板１５１は、遊技盤４０に設けられるソレノイド４３，５０，５９を駆動制御すると共に、外部情報端子基板７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，１５，１６，５６，６７ａ及び各種ＬＥＤ３７，３８，４５を表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて可変表示装置４４、普通図柄表示器６３の表示結果を導出するように制御する。払出制御基板１４４は、主基板１５１から入力される払出制御信号に応じて球払出装置１１６を駆動制御すると共に、発射制御基板９０へ発射制御信号を出力する。また、払出制御基板１４４は、カードユニット装置３１、残高表示基板２３と接続され、貸球払出の制御を行う。発射制御基板９０は、払出制御基板１４４からの発射制御信号に応じて発射装置８７の制御を行う。また、外部情報出力基板１３２は、主基板１５１、払出制御基板１４４と接続され、外部へ遊技情報を出力する。
【００３６】
次に、本実施形態の要部を構成する、前面枠３に対する透明板保持枠４及び遊技盤４０の取り付けについて図５乃至図７を参照して説明する。図５は、組み立てられた弾球遊技機１の透明板保持枠４を開放した状態を示す斜視図であり、図６は、透明板保持枠４及び遊技盤４０をユニットとして前面枠３に取り付ける状態を示す斜視図であり、図７は、前面枠３に遊技盤４０を取り付けた後に透明板保持枠４を遊技盤４０に取り付ける状態を示す斜視図である。
【００３７】
まず、図５において、透明板保持枠４は、上述したように、その中央に円形透視窓５が開設されて、その外形がほぼ角型形状に形成されるものである。透明板保持枠４の裏面側であって、開閉の支点側上下には、透明板保持枠４を遊技盤４０に対して取り付けるための開閉機構１８４が取り付けられている。開閉機構１８４は、その中央部付近から折れ曲がるヒンジ形状に板金によって形成されるものであり、一端側が透明板保持枠４側に取付ネジ（図示しない）によって取り付けられ、他端側が遊技盤４０側に取付ネジ１８７（図７参照）によって取り付けられている。上方側に取り付けられた開閉機構１８４の下方からは、透明板保持枠４に備えられる遊技効果ランプ６〜８，１５，１６，５６，６７ａ及び遊技効果ＬＥＤ３７，３８，４５等の装飾ランプからの配線が集約される装飾ランプコネクタ１８０が備えられている。また、透明板保持枠４の裏面側であって、開放側の上下には、透明板保持枠４を閉じた場合に、施錠装置１８に形成された係止部１８ａに係止される施錠片１３が突設されている。
【００３８】
次に、遊技盤４０は、透明板保持枠４が取り付けられる側の側方の上下部分が突出して開閉機構取付部１９１（図６，７参照）として形成され、上記したように、ほぼＴ字形状に形成されるものである。この開閉機構取付部１９１には、開閉機構１８４を取り付けるための取付ネジ穴１８９（図７参照）が穿設されている。また、遊技盤４０の裏面には、遊技効果ランプ６〜８，１５，１６，５６，６７ａ及び遊技効果ＬＥＤ３７，３８，４５（装飾ランプ）を制御するためのランプ制御基板１８２が備えられ、このランプ制御基板１８２には、遊技盤コネクタ１８１が接続されている。この遊技盤コネクタ１８１は、上方側の開閉機構取付部１９１の下方に形成された通し穴１８３から遊技盤４０の表面側に挿通されて、上述した装飾ランプコネクタ１８０に接続されている。なお、ランプ制御基板１８２は、図４には図示しないが、図４における電飾制御基盤８０と、遊技効果ランプ６〜８，１５，１６，５６，６７ａ及び遊技効果ＬＥＤ３７，３８，４５と、の間に接続されるものである。
【００３９】
また、遊技盤４０の表面には、上記したように、キャラクター１７が描かれているが、図５に示すように、キャラクター１７の一部が遊技領域４１内に描かれ、その他の部分が遊技領域４１の外に描かれている。
【００４０】
次に、前面枠３は、ほぼ角型形状に形成され、外枠２の前面側に取り付けられるものである。前面枠３のの中央部には、遊技盤４０が収納されて取り付けられる遊技盤収納枠１８６が、遊技盤４０の外形に沿ったほぼＴ字形状で形成されている。この遊技盤収納枠１８６の周囲には、遊技盤４０を遊技盤収納枠１８６に収納した際に、遊技盤４０側に回動させることにより遊技盤４０を固定するための固定部部材１８５が複数個設けられている。また、透明板保持枠４の開放側であって、遊技盤収納枠１８６の側方のほぼ中央には、シリンダー錠２６が突出して備えられている。このシリンダー錠２６は、上述したように、前面枠４の裏面側に備えられた施錠装置１８を操作するためのものである。この施錠装置１８は、板金により縦長状に形成されるものであり、その上下端部には、施錠片１３が係止される係止部１８ａが突設されている。また、施錠装置１８の上方及び下方であって、施錠装置１８の係止部１８ａに対応する位置には、施錠片１３が挿通される挿通穴１９０が穿設されている。
【００４１】
しかして、上記のように構成される透明板保持枠４及び遊技盤４０の前面枠３への取り付けは、まず、開閉機構１８４の透明板保持枠４側の端部を、図６に示すように、取付ネジ（図示しない）によって透明板保持枠４の裏面側端部の上下に取り付ける。次に、開閉機構１８４の遊技盤４０側の端部に穿設された取付穴１８８（図７参照）に挿通した取付ネジ１８７を、遊技盤４０の取付ネジ穴１８７に螺着することにより、開閉機構１８４を遊技盤４０に取り付ける。これにより、透明板保持枠４が遊技盤４０に対して取り付けられる。そして、透明板保持枠４に接続される装飾ランプコネクタ１８０と遊技盤４０に接続される遊技盤コネクタ１８１とを接続することにより、電気配線上でも透明板保持枠と遊技盤とが一体となる。
【００４２】
このようにして、透明板保持枠４と遊技盤４０とをユニットにした状態で、図６に示すように、遊技盤４０を前面枠３の前面側から遊技盤収納枠１８６に挿入する。遊技盤４０を遊技盤収納枠１８６に挿入した後、図５に示すように、固定部材１８５を遊技盤４０に当接するように回動させることにより、遊技盤４０が前面枠３に対して固定されることとなる。そして、このように遊技盤４０が前面枠３に対して固定されることにより、透明板保持枠４が前面枠３に対して開閉自在に取り付けられることとなる。
【００４３】
上記のように、ユニット化した透明板保持枠４と遊技盤４０とを前面枠３に取り付けた状態で、透明板保持枠４を前面枠３に対して閉塞すると、透明板保持枠４の施錠片１３が前面枠３の挿入穴１９０に挿入され、挿入された施錠片１３は、前面枠３の裏面側で施錠装置１８の係止片１８ａに係止される。これにより、透明板保持枠４が閉塞された状態で固定されることとなる。このように、透明板保持枠４が閉塞された状態では、図１に示すように、透明板保持枠４及び遊技盤４０に描かれたキャラクター１７によって、キャラクター１７の全体が形成され、意匠的に連続した装飾となる。一方、透明板保持枠４が閉塞された状態で、シリンダー錠２６に鍵（図示しない）を挿入し回動することで施錠装置１８を操作することにより、係止部１８ａが下方に移動して係止部１８ａと施錠片１３の係合が解除され、透明板保持枠４が開放できる状態となる。
【００４４】
なお、上記した実施形態においては、透明板保持枠４と遊技盤４０とをユニット化した状態で前面枠３に対して取り付けるものを示したが、このようなものに限らず、図７に示すように、前面枠３に遊技盤４０を取り付けた後、遊技盤４０に対して透明板保持枠４を取り付けるものであってもよい。具体的には、遊技盤４０を前面枠３の遊技盤収納枠１８６に収納した後、固定部材１８５により固定する。次に、透明板保持枠４に取り付けた開閉部材１８５の遊技盤４０側の端部を、取付ネジ１８７によって遊技盤４０の開閉機構取付部１９１に取り付けることにより、透明板保持枠４を遊技盤４０に取り付ける。そして、装飾ランプコネクタ１８０と遊技盤コネクタ１８１とを接続する。これにより、上記した第１実施形態と同様に、透明板保持枠４が前面枠３に対して開閉自在に取り付けられることとなる。
【００４５】
以上、実施形態にかかる弾球遊技機１について詳細に説明してきたが、本実施形態においては、外枠２と、外枠２の一側に開閉自在に支持され且つ遊技盤４０が装着される前面枠３と、該前面枠３に設けられる遊技盤４０の遊技領域４１を透視し得る透明板が装着される透明板保持枠４と、を備えた遊技機において、前記透明板保持枠４は、前記遊技盤４０に対して開閉機構を介して取り付けられ、前記遊技盤４０は、前記前面枠３の前面側から該前面枠３に対して取り付けられ、前記透明板保持枠４が前記前面枠３に対して開閉自在に取り付けられることにより、透明板保持枠４が遊技盤４０に取り付けられることで、前面枠３には遊技盤４０を取り付けるための取付ボス，取付ネジ等の取付部だけを備えるだけでよく、透明板保持枠４及び遊技盤４０の双方を取り付ける場合のように取付スペースが制限されることがない。このため、前面枠３に対して透明板保持枠４及び遊技盤４０の取り付け及び取り外しの作業を容易に行うことができ、例えば、透明板保持枠４と遊技盤４０とに一体的な装飾模様を施したときのように、透明板保持枠４と遊技盤４０との双方を交換する必要がある場合等の作業効率を向上することができる。
【００４６】
また、本実施形態においては、前記透明板保持枠４の表面と前記遊技盤４０の表面とに、意匠的に連続した装飾を施したことにより、遊技機全体として統一感のある意匠とすることができる。
【００４７】
また、本実施形態においては、前記透明板保持枠４の開放側には、施錠片１３が備えられ、前記前面枠３には、前記透明板保持枠４を閉塞した際に前記施錠片１３が係合する施錠装置１８を備えたことにより、透明板保持枠４を閉塞した際に、透明板保持枠４を前面枠３に対して施錠可能とすることができるため、透明板保持枠４と遊技盤４０、及び遊技盤４０と前面枠３との間にそれぞれ施錠装置を設けることなく、透明板保持枠４，遊技盤４０及び前面枠３を一体的に施錠することができるため、透明板保持枠４及び遊技盤４０の交換作業を容易に行うことができる。
【００４８】
更に、本実施形態においては、前記透明板保持枠４には、複数の装飾ランプと、該複数の装飾ランプからの配線が集約される装飾ランプコネクタ１８０と、が備えられ、前記複数の装飾ランプを制御するランプ制御基板１８２が前記遊技盤４０の裏面に備えられ、前記遊技盤４０には、該遊技盤４０の前面側に臨む前記ランプ制御基板と接続された遊技盤４０コネクタが備えられ、前記装飾ランプコネクタ１８０と前記遊技盤４０コネクタとを接続したことにより、透明板保持枠４と遊技盤４０とをユニットとして前面枠３に取り付ける際に、装飾ランプコネクタ１８０と遊技盤４０コネクタとを接続することで、電気配線上でも透明板保持枠４と遊技盤４０とを一体とすることができる。
【００４９】
【発明の効果】
以上、説明したところから明らかなように、請求項１の発明においては、透明板保持枠が遊技盤に取り付けられることで、前面枠には遊技盤を取り付けるための取付ボス，取付ネジ等の取付部だけを備えるだけでよく、透明板保持枠及び遊技盤の双方を取り付ける場合のように取付スペースが制限されることがない。このため、前面枠に対して透明板保持枠及び遊技盤の取り付け及び取り外しの作業を容易に行うことができ、例えば、透明板保持枠と遊技盤とに一体的な装飾模様を施したときのように、透明板保持枠と遊技盤との双方を交換する必要がある場合等の作業効率を向上することができる。
【００５０】
また、請求項２の発明においては、遊技機全体として統一感のある意匠とすることができる。
【００５１】
また、請求項３の発明においては、透明板保持枠を閉塞した際に、透明板保持枠を前面枠に対して施錠可能とすることができるため、透明板保持枠と遊技盤、及び遊技盤と前面枠との間にそれぞれ施錠装置を設けることなく、透明板保持枠，遊技盤及び前面枠を一体的に施錠することができるため、透明板保持枠及び遊技盤の交換作業を容易に行うことができる。
【００５２】
更に、請求項４の発明においては、透明板保持枠と遊技盤とをユニットとして前面枠に取り付ける際に、装飾ランプコネクタと遊技盤コネクタとを接続することで、電気配線上でも透明板保持枠と遊技盤とを一体とすることができる。
【図面の簡単な説明】
【図１】本発明の一実施形態における弾球遊技機を示す正面図である。
【図２】遊技盤が備えられていない状態の弾球遊技機を示す正面図である。
【図３】弾球遊技機の裏面に設けられる各基板を示す説明図である。
【図４】主基板と各種制御基板及び電気部品との関係を示すブロック図である。
【図５】組み立てられた弾球遊技機の透明板保持枠を開放した状態を示す斜視図である。
【図６】透明板保持枠及び遊技盤をユニットとして前面枠に取り付ける状態を示す斜視図である。
【図７】前面枠に遊技盤を取り付けた後に透明板保持枠を遊技盤に取り付ける状態を示す斜視図である。
【符号の説明】
１  弾球遊技機（遊技機）
２  外枠
３  前面枠
４  透明板保持枠
１８  施錠装置
４０  遊技盤
１８０  装飾ランプコネクタ
１８２  ランプ制御基板
【図１】
2004222914.tif 000003
【図２】
2004222914.tif 000004
【図３】
2004222914.tif 000005
【図４】
2004222914.tif 000006
【図５】
2004222914.tif 000007
【図６】
2004222914.tif 000008
【図７】
2004222914.tif 000009